(57)【要約】【課題】  遊技盤に設けられた液晶表示装置の画面を手間をかけずに清浄に保つ。【解決手段】  遊技盤に設けられた枠部材１７には、液晶表示装置７が取り付けられている。枠部材１７には、ブラシ２９を有する清掃部材２７が設けられている。汚れ検出器２５は、発光素子２５ａと受光素子２５ｂを備え、液晶画面７ａの汚れを検出する。汚れが検出されると、清掃部材２７はモータの駆動により回動軸２８を中心に回動する。ブラシ２９は液晶画面７ａを摺動し、液晶画面７ａに付着した汚れを除去する。【選択図】        図２
2005245595.tif 000002
【特許請求の範囲】
【請求項１】
表示装置を備えた遊技機において、
前記表示装置の表示面に接触してこの表示面を清掃する清掃部を有する清掃部材と、この清掃部材を駆動させ、前記清掃部を前記表示面に沿って移動させる駆動手段とを備えたことを特徴とする遊技機。
【請求項２】
前記表示面の汚れを検出する検出手段と、前記検出手段が汚れを検出した時に前記駆動手段を駆動させる第１の制御手段とを備えたことを特徴とする請求項１記載の遊技機。
【請求項３】
前記清掃部材は回動軸を有しており、前記駆動手段の駆動力を前記回動軸に伝達することにより前記清掃部材を回動させる回動伝達手段が設けられていることを特徴とする請求項１又は２記載の遊技機。
【請求項４】
前記清掃部材をスライドさせる方向に前記駆動手段の駆動力を伝達するスライド伝達手段を備えたことを特徴とする請求項１又は２記載の遊技機。
【請求項５】
前記表示面に付着物を付着させる付着手段と、前記表示面に前記付着物が付着された後、前記駆動手段を駆動させる第２の制御手段とを備えたことを特徴とする請求項１ないし４にいずれか１つ記載の遊技機。
【発明の詳細な説明】
【技術分野】
【０００１】
本発明は、遊技盤に表示装置が設けられた遊技機に関する。
【背景技術】
【０００２】
遊技店に設置される遊技機の一つとして知られているパチンコ遊技機では、遊技媒体として使用されるパチンコ球（遊技球）を打ち出し、遊技盤の盤面上でパチンコ球を落下させることにより遊技が行われる。遊技盤には入賞口及びアウト口が設けられている。パチンコ球が入賞口に入ると入賞となり、所定個数のパチンコ球が賞球として払い出され、アウト口に入ったパチンコ球は回収される。
【０００３】
パチンコ遊技機には、遊技盤のほぼ中央に表示装置を備えたものが広く知られている。この表示装置には、図柄を配列したリールを備えたものや液晶表示装置を用いたもの等がある。遊技者は、表示装置に表示される情報に基づいて、例えば、通常の遊技状態と多くの賞球を得られる特別な遊技状態とを識別することができる。したがって、表示装置は遊技者の注目度が高く、表示装置の表示面に埃等の汚れが付着すると、表示される情報が見づらくなることや、遊技者に不快感を与えることがあるため、表示面は常に清浄にしておく必要がある。
【発明の開示】
【発明が解決しようとする課題】
【０００４】
しかしながら、従来では、上記表示装置の表示面を清掃する場合、遊技場の従業員が営業時間外等に布やブラシ等を用いて手作業で清掃しなければならなかったために手間がかかるという問題があった。
【０００５】
本発明は、上記問題点を考慮してなされたもので、手間をかけることなく、表示装置の表示面を清掃することができるようにした遊技機を提供することを目的とする。
【課題を解決するための手段】
【０００６】
上記目的を達成するために、本発明は、表示装置を備えた遊技機において、表示装置を備えた遊技機において、前記表示装置の表示面に接触してこの表示面を清掃する清掃部を有する清掃部材と、この清掃部材を駆動させ、前記清掃部を前記表示面に沿って移動させる駆動手段とを備えたことを特徴とする。なお、移動とは回転による移動、往復動等の直線的な移動を含む。
【０００７】
また、前記表示面の汚れを検出する検出手段と、前記検出手段が汚れを検出した時に前記駆動手段を駆動させる第１の制御手段とを備えたことを特徴とする。
【０００８】
また、前記清掃部材は回動軸を有しており、前記駆動手段の駆動力を前記回動軸に伝達することにより前記清掃部材を回動させる回動伝達手段が設けられていること特徴とする。
【０００９】
また、前記清掃部材をスライドさせる方向に前記駆動手段の駆動力を伝達するスライド伝達手段を備えたことを特徴とする。
【００１０】
また、前記表示面に付着物を付着させる付着手段と、前記表示面に前記付着物が付着された後、前記駆動手段を駆動させる第２の制御手段とを備えたことを特徴とする。
【発明の効果】
【００１１】
請求項１記載の発明によれば、表示装置の表示面に接触する清掃部を駆動手段によって表示面に沿って移動させることにより、表示面に付着した汚れを除去することができるから、手間をかけずに自動的に表示面を清掃でき、表示装置の表示面を常に清浄に保つことができる。
【００１２】
請求項２記載の発明によれば、表示装置の表示面の清浄度を監視でき、表示面に所定の基準を上回る汚れが付着したときに清掃部材を確実に作動させることができるから、遊技者が表示面の汚れに気付く前に表示面を清掃することができる。
【００１３】
請求項３記載の発明によれば、清掃部材が回動軸を中心に回動して表示装置の表示面を清掃するので、駆動手段の駆動力を回動軸のみに伝達すればよいから、伝達手段の構成が簡単になり、表示装置の周辺の構造が煩雑になることを防ぐことができる。
【００１４】
請求項４記載の発明によれば、清掃部材をスライド移動させることにより、清掃部は清掃部材がスライドする方向に対して垂直な方向に一様に表示面を清掃するから、表示面の清浄さにムラが生じることを防ぐことができる。
【００１５】
請求項５記載の発明によれば、表示装置によって表示される情報を付着物を用いて故意に隠すことができるため、例えば、表示される情報が付着物によって視認不能になることを、遊技者にとって有利な遊技状態に移行する可能性が高いことを報知する演出として利用でき、清掃部材を用いて付着物を除去した時に表示される情報を確認できるから、この演出により遊技者は遊技に期待感を持つことができ、遊技の単調さを解消できる。
【発明を実施するための最良の形態】
【００１６】
図１において、パチンコ遊技機２は、本体枠３に遊技盤４が設けられている。本体枠３には、前面扉５が開閉自在に設けられている。前面扉５には、遊技盤４を視認できるようにガラス等からなる透明板が設けられた窓５ａが形成されている。遊技盤４には、液晶表示装置（表示装置）７、始動入賞口８、通常入賞口９、通過入賞口１０、アタッカ１１、アウト口１２が設けられている。遊技盤４の盤面は、多数の障害釘によりパチンコ球が進路を様々に変えながら適度な時間を費やして落下する遊技領域として構成されている。パチンコ遊技機２には、パチンコ球を発射する発射装置、賞球を払い出す払い出し装置、電源回路、ランプ、スピーカーなどが組み付けられている。
【００１７】
前面扉５の下方には、パチンコ球を供給するための供給皿１５及びパチンコ球の打ち出し強さを調節する操作ハンドル１６が設けられている。供給皿１５に投入されたパチンコ球は、発射装置へ誘導され、操作ハンドル１６の操作によって遊技盤４に向けて１個ずつ打ち出される。打ち出されたパチンコ球は遊技盤４の盤面を落下し、始動入賞口８、通常入賞口９、アウト口１２のいずれかに入る。始動入賞口８、通常入賞口９にパチンコ球が入賞すると、それぞれ所定個数のパチンコ球が賞球として払い出される。アウト口１２に入ったパチンコ球は入賞から外れたものとして回収される。また、始動入賞口８にパチンコ球が入賞した場合には電子抽選が行われ、その結果が液晶表示装置７に表示される。
【００１８】
液晶表示装置７は、遊技盤４のほぼ中央に設けられた枠部材１７に取り付けられている。液晶表示装置７は、図柄等の識別情報の可変表示を行い、可変表示が終了したときに表示される識別情報の種類や組み合わせにより当たりか否かを表示する。当たりが得られると、通常の遊技よりも賞球を多く獲得できる有利な特別遊技へと移行し、アタッカ１１が開放される。アタッカ１１が開放されると他の入賞口よりもパチンコ球が入賞しやすい大入賞口が出現する。アタッカ１１は、所定時間開放されるか、大入賞口に所定個数のパチンコ球が入賞することを条件に閉じられ、同じ条件に基づいて開閉動作を複数回繰り返す。これにより、特別遊技の間は多数のパチンコ球が入賞し、遊技者は多数の賞球を獲得することができる。
【００１９】
図２において、枠部材１７は、その上部に屋根部２０を備え、その下部にステージ部２１を備えている。屋根部２０は、パチンコ球が液晶表示装置７の上方から液晶表示装置７に向かって落下することを防ぐ。ステージ部２１は、例えば、枠部材１７の下に設けられた釘に衝突し、その勢いで上方に跳ね返されたパチンコ球が乗るところである。ステージ部２１に乗ったパチンコ球は左右に転がるなどの動きを示し、ステージ部２１に少しの時間滞在した後、枠部材１７の下方に落下する。
【００２０】
枠部材１７には、屋根部２０の下に、発光素子２５ａと受光素子２５ｂを備えた汚れ検出器（検出手段）２５が設けられている。発光素子２５ａは、液晶画面７ａの表面の汚れの検査するための検査光を照射する。検査光は、液晶画面７ａの上端部分に向けて照射される。受光素子２５ｂは、液晶画面７ａを反射した検査光を光電検出し、検出された検査光の強さに応じた電圧レベルの電気信号を出力する。液晶画面７ａの下方の位置には、清掃部材２７が設けられている。清掃部材２７には、外部から駆動力が伝達される回動軸２８と、液晶画面（表示面）７ａに接触するブラシ（清掃部）２９が設けられている。
【００２１】
図３において、汚れ検出器２５は、パチンコ遊技機２の電気的な動作を管理する制御装置（第１の制御手段）３０と接続されている。制御装置３０は、汚れ検出器２５を制御し、発光素子２５ａを点灯させて検査光を液晶画面７ａに照射するか否かを決定する。制御装置３０は、受光素子２５ｂが検出した検査光の光量を表す電気信号が入力されると、この電気信号のレベルが所定の基準値を満たすか否かを判定する。
【００２２】
モータ３１は、制御装置３０からの制御信号により制御される。モータ３１が駆動すると、その駆動力はギア機構（回動伝達手段）３２に伝達される。ギア機構３２は、清掃部材２７の回動軸２８と連結されており、モータ３１の駆動力を回動軸２８に伝達する。制御装置３０は、受光素子２５ｂから入力された電気信号を所定の基準値を満たさなかったとき、液晶画面７ａが汚れているものと判断し、モータ３１に駆動開始信号を送る。モータ３１は駆動開始信号を受けて駆動し、その駆動力が回動軸２８に伝達される。清掃部材２７は、液晶画面７ａの下方で静止していた位置から回動軸２８を中心として、清掃部材２７の先端部２７ａが上昇する方向に回動する。清掃部材２７が回動することにより、ブラシ２９は液晶画面７ａを摺動し、液晶画面７ａに付着している埃等の汚れを除去する。
【００２３】
モータ駆動量測定装置３３は、ギア機構３２の特定のギアの回転数からモータ３１の駆動量を測定し、測定結果を制御装置３０に送る。制御装置３０は、モータ３１の駆動量から清掃部材２７の位置を判断する。清掃部材２７が鉛直方向とほぼ平行になり、ブラシ２９が液晶画面７ａの外側の位置まで移動した時、制御装置２０はモータ３１に逆転駆動信号を送る。モータ３１が逆転駆動すると、清掃部材２７は逆方向、すなわち清掃部材２７の先端部２７ａが下降する方向に回動する。ブラシ２９は、再び液晶画面７ａを摺動し、液晶画面７ａを清掃する。
【００２４】
図４において、本発明の作用について説明する。制御装置３０は、所定時間、例えば２時間をカウントし、２時間が経過したときに汚れ検出器２５に制御信号を送る。発光素子２５ａが点灯し、液晶画面７ａに検査光が照射される。受光素子２５ｂは、液晶画面７ａを反射した検査光を受光する。汚れ検出器２５は、受光素子２５ｂによって検出された検査光の光量を表す情報を制御装置３０に出力する。液晶画面７ａが清浄であれば、検出される検査光の光量はほぼ不変であり、液晶画面７ａが汚れていれば、検出される検査光の光量は減衰する。制御装置３０は、検出された検査光の光量の情報を予め設定された閾値と比較し、これが閾値を上回るときは液晶画面７ａが清浄であると判断し、２時間のカウントを再開する。
【００２５】
一方、検出された検査光の光量が閾値を下回る場合には、液晶画面７ａが汚れているものと判断され、制御装置３０はモータ３１に駆動開始信号を送る。モータ３１は駆動を開始し、モータ３１の駆動力がギア機構３２を介して回動軸２８に伝達される。清掃部材２７は先端部２７ａが上昇する方向に回動し、ブラシ２９が液晶画面７ａを摺動し、液晶画面７ａが清掃される。モータ駆動量測定装置３３はモータ３１の駆動量を測定し、これが一定量に達した時、制御装置３０はモータ３１に逆転駆動信号を送る。モータ３１は逆転駆動し、清掃部材２７は先端部２７ａが下降する方向に回動し、ブラシ２９は液晶画面７ａを清掃する。清掃部材２７が液晶画面７ａに沿って２回の回動を行うことにより、液晶画面７ａ上に付着していた埃等の汚れが除去される。
【００２６】
モータ３１が逆転駆動を開始してからモータ３１の駆動量が一定量に達した時、清掃部材２７は液晶画面７ａの下方の初期位置に戻る。制御装置３０はモータ３１に停止信号を送り、モータ３１が停止する。制御装置３０は、液晶画面７ａの清掃を禁止する命令が入力されなければ、２時間のカウントを再開し、２時間が経過した後に同様な処理を繰り返す。
【００２７】
次に、本発明の第２の実施形態について説明する。図５において、液晶画面７ａの両側方には、鉛直方向に延びた棒状のガイド軸４０と、リードスクリューが形成された送りネジ軸（スライド伝達手段）４１がそれぞれ設けられている。ガイド軸４０と送りネジ軸４１の間には、水平方向に延びた清掃部材４２が設けられている。清掃部材４２の両端部には、ガイド軸４０を摺動する摺動穴４２ａと、送りネジ軸４１に螺合するネジ穴４２ｂとが形成されている。清掃部材４２は、ガイド軸４０によって鉛直方向に移動するためのガイドがなされ、モータ４３が駆動して送りネジ軸４１が回転することにより鉛直方向にスライドする。また、ガイド軸４０は、送りネジ軸４１の回転につられて清掃部材４２が回動することを防ぐ回転止めの作用をする。
【００２８】
清掃部材４２には、液晶画面７ａと対面する側面にワイパー部（清掃部）４４が設けられている。ワイパー部４４は、スポンジ等の柔軟な素材からなり、液晶画面７ａに密着し、清掃部材４２がスライドすることに伴って液晶画面７ａに付着した汚れ等を拭き取る。液晶画面７ａの上方には、３つの泡放出装置４５が設けられている。泡放出装置４５には洗浄剤がセットされており、洗浄剤を泡状にして液晶画面７ａの所定の位置に放出するためのノズル４５ａを備えている。清掃部材４２は、通常は液晶画面７ａの上方の所定の位置で静止している。
【００２９】
図６において、液晶画面７ａには、例えば、水平方向に並ぶ３個の数字の図柄Ｓ１，Ｓ２，Ｓ３が表示され、例えば「０」〜「９」の各数字の図柄が順番に切替わることによって図柄の可変表示が行われる。図柄Ｓ１〜Ｓ３は左側に位置する図柄Ｓ１から図柄Ｓ２，図柄Ｓ３の順に可変表示が終了し、全ての図柄の可変表示が終了したときに同じ数字の図柄が揃うか否かによって大当たりとはずれが報知される。大当たりが報知された後は、多数の賞球を獲得できる特別な遊技状態に移行する。
【００３０】
遊技中に、特定の条件が満たされると、泡放出装置４５が作動する。例えば、液晶画面７ａに表示された図柄Ｓ１及びＳ２の可変表示が停止され、図柄Ｓ３の可変表示が行われている間に、泡放出装置４５は、ノズル４５ａから洗浄剤の泡（付着物）Ｂ１を液晶画面７ａに向けて吐出する。泡Ｂ１は、図柄Ｓ１〜Ｓ３を覆い隠し、遊技者が各図柄を視認できないようにする（図６（ｂ））。泡Ｂ１が放出された後、液晶画面７ａに表示されていた図柄Ｓ１〜Ｓ３は他の数字の図柄に切替わる。
【００３１】
モータ４３が駆動して、送りネジ軸４１が回転し、清掃部材４２がガイド軸４０にガイドされながら下降する。ワイパー部４４は、液晶画面７ａを摺動し、泡Ｂ１を拭き取りながら液晶画面７ａを清掃する。ワイパー部４４によって泡Ｂ１が拭き取られると、例えば大当たりを表す組み合わせとなった図柄Ｓ１〜Ｓ３が出現し、遊技者に意外性のある報知が行われる。また、泡Ｂ１が拭き取られた後は必ず大当たりが報知されるわけではなく、はずれの場合もあり、遊技者は泡Ｂ１に隠された図柄の組み合わせが当たりの組み合わせであることを期待しながら液晶画面７ａを注目する。
【００３２】
本発明においては、表示装置として液晶表示装置を用いたものに限られず、複数のリールを備えた図柄表示装置を備えた遊技機に適用することができる。この場合、リールの表面を直接清掃する清掃部材、あるいはリールとパチンコ球が衝突することを避けるためにリールの前に平面状又は曲面状に設けられる透明板を清掃する清掃部材を設けてもよい。また、ドットマトリクス表示形式の表示装置のみならず、７セグメント表示形式の表示装置、発光ダイオード等を１つの画素に用いた表示装置等でもよい。また、清掃部材をスライドさせる際には、鉛直方向に限らず、水平方向や斜め方向にスライドさせてもよく、駆動力を伝達する伝達手段としては送りネジ軸４１を用いることに限らず、無端ベルトとプーリを備えたベルト伝動装置を用いてもよい。
【００３３】
表示装置の表示面を清掃する接触部の具体例としては、ブラシやスポンジに限らず、表示装置の表示面を傷付ける事のない柔軟な素材等を適宜用いることができる。また、清掃部材は、所定時間の経過、光センサを用いた汚れの検出等、遊技中に特定の条件が満たされた時に作動させることに限らず、ボタン等の操作部材を操作することによって作動するようにしてもよい。また、駆動手段としてはモータに限らず、ソレノイド等の他の駆動源を用いてもよい。また、汚れを検出する検出手段としては、表示面を反射した光を検出する反射型の光センサに限られず、受光素子と発光素子が表示面を間に挟んで対向して設けられた透過型の光センサでもよい。表示装置の表示面に付着する付着物としては、紙片等のように軽く、容易に除去できるものであればよく、洗浄剤の泡に限られない。
【００３４】
表示面を清掃するときには、清掃部材を１回の往復動を行わせることに限らず、表示面の汚れや付着物が除去されるまで作動させるようにしてもよい。また、清掃部材の作動を許容する期間と、清掃部材の作動を禁止する期間とを設定し、例えば、表示装置に表示される情報が注目度の低い情報であるときのみに清掃部材が作動するようにしてもよい。また、本発明はパチンコ遊技機に限らず、遊技球と異なる他の遊技媒体を用いる遊技機に適用してもよい。
【図面の簡単な説明】
【００３５】
【図１】パチンコ遊技機の外観斜視図である。
【図２】枠部材の前面側斜視図である。
【図３】清掃部材とその周辺の構成を概略的に示す説明図である。
【図４】制御装置の処理の流れを示すフローチャートである。
【図５】第２実施形態における清掃部材とその周辺の構成を示す斜視図である。
【図６】第２実施形態である清掃部材が作動した際の様子を示す説明図である。
【符号の説明】
【００３６】
２  パチンコ遊技機
４  遊技盤
７  液晶表示装置（表示装置）
７ａ  液晶画面（表示面）
２５  汚れ検出器（汚れ検出手段）
２７，４２  清掃部材
２８  回動軸
２９  ブラシ（清掃部）
３０  制御装置
３１，４３  モータ（駆動手段）
３２  ギア機構（回動伝達手段）
４１  送りネジ軸（スライド伝達手段）
４４  ワイパー部（清掃部）
４５  泡放出装置（付着手段）
Ｂ１  泡（付着物）
【図１】
2005245595.tif 000003
【図２】
2005245595.tif 000004
【図３】
2005245595.tif 000005
【図４】
2005245595.tif 000006
【図５】
2005245595.tif 000007
【図６】
2005245595.tif 000008